(57)【特許請求の範囲】
【請求項１】
一方面が印字面で、他方面が粘着面である台紙レスラベル用紙に、駆動回転するプラテンローラと印字ヘッドにより印字した後、該台紙レスラベル用紙をカッターにより切断して枚葉状の台紙レスラベルを発行する台紙レスラベルプリンタにおいて、
前記プラテンローラより下流側近傍に配置したカッターと、
前記カッターより下流側近傍におけるラベルの有無を検出する光学センサからなるラベル検出手段と、
前記プラテンローラより上流側で前記台紙レスラベル用紙の有無を検出する用紙検出手段と、
前記用紙検出手段におけるラベル用紙の有無の検出結果と、前記カッターの作動前における前記ラベル検出手段の検出結果と、に基づいて、前記プラテンローラへのラベル用紙の巻き付きを判定する判定手段と、
前記印字ヘッド及びプラテンローラの駆動を制御する制御部と、
を備え、
前記判定手段により「巻き付き」と判定した場合、前記制御部によって前記プラテンローラと印字ヘッドによる印字を中止し、
前記判定手段は、「巻き付き」でないと判定した場合、前記カッターの作動後における前記ラベル検出手段の検出結果に基づいて、次のラベル発行の可否を判定することを特徴とする台紙レスラベルプリンタ。
【請求項２】
前記カッターより下流側近傍に配置したラベル受けを備え、
前記ラベル検出手段は、前記ラベル受けにおけるラベルの有無を検出することを特徴とする請求項１に記載の台紙レスラベルプリンタ。
【請求項３】
前記用紙検出手段による用紙の有無に基づいて、前記制御部によって前記プラテンローラと印字ヘッドの駆動を制御する、ことを特徴とする請求項１又は２に記載の台紙レスラベルプリンタ。
【請求項４】
前記判定手段により「巻き付き」と判定した場合、前記制御部によって前記プラテンローラを逆回転し、該プラテンローラに巻き付いたラベルを取り除き易い位置に位置させることを特徴とする請求項１乃至３のいずれかに記載の台紙レスラベルプリンタ。
【請求項５】
前記ラベル検出手段の検出タイミングは、前記台紙レスラベル用紙を印字ヘッドの位置から前記ラベル受けの位置まで送出するプラテンローラの駆動回転後に行われることを特徴とする請求項１乃至４のいずれかに記載の台紙レスラベルプリンタ。
【発明の詳細な説明】
【技術分野】
【０００１】
本発明は台紙レスラベル用紙をラベル用紙として使用するプリンタに関し、詳しくは台紙レスラベル用紙を送出するプラテンローラへのラベル用紙の巻き付を検出する検出手段を備えた台紙レスラベルプリンタに関する。
【背景技術】
【０００２】
ゴミの減量化を目的として台紙レスラベル用紙の使用が普及しているが、該台紙レスラベル用紙は印字面の反対面が粘着面であるため、該台紙レスラベル用紙に印字する印字ヘッドと対向して配置される駆動回転するプラテンローラは、ラベル用紙が巻き付いたりしないように表面にシリコンコーティング等の易剥離性処理、或いはプラテンローラ自体を易剥離性樹脂材で形成されているが、それでも稀にラベル用紙がプラテンローラに巻き付いてしまうことがある。
【０００３】
そこで、プラテンローラにラベル用紙が巻き付いたか否かを検出する為に、該プラテンローラに光を照射してラベル用紙の巻き付の有無を検出する技術が提案されている（例えば、特許文献１参照）。
【０００４】
しかし、特許文献１に記載の技術では、ラベル用紙の巻き付を検出するセンサがプラテンローラの近傍に設置されているため、印字送出されるラベル用紙の先端部分がプラテンローラに巻き付くことなく正常に送出されても、先端に続く後側の部分が該プラテンローラに巻き付いた場合には前記先端部分がプラテンローラの回転と共に大きな弧を描いて、前記センサに付着する虞れがある。
その為に、前記センサはラベル用紙の付着を防ぐ為にプラテンローラからある程度離して設置する必要があり、その結果、装置が大型化する、或いは新たにセンサを増設する必要が生じてコストアップになる等の問題を有する。
【先行技術文献】
【特許文献】
【０００５】
【特許文献１】特開２０１０−８２９１５号公報
【発明の概要】
【発明が解決しようとする課題】
【０００６】
本発明は上記従来の技術が有する問題点に鑑みてなされたもので、プラテンローラにラベル用紙が巻き付いたか否かを検出するセンサにラベル用紙が付着しない台紙レスラベルプリンタを提供することにある。
又、ラベル用紙の巻き付きの有無を検出する手段を備えても、コストアップにならない台紙レスラベルプリンタを提供することにある。
【課題を解決するための手段】
【０００７】
上記課題を達成するために本発明の台紙レスラベルプリンタは、一方面が印字面で、他方面が粘着面である台紙レスラベル用紙に、駆動回転するプラテンローラと印字ヘッドにより印字した後、該台紙レスラベル用紙をカッターにより切断して枚葉状の台紙レスラベルを発行する台紙レスラベルプリンタにおいて、前記プラテンローラより下流側近傍に配置したカッターと、前記カッターより下流側近傍に配置したラベル受けと、前記ラベル受けにおけるラベルの有無を検出する光学センサからなるラベル検出手段と、前記カッターの作動前における前記ラベル検出手段の検出結果に基づいて、前記プラテンローラへのラベル用紙の巻き付きを判定する判定手段と、前記判定手段の判定に基づいて前記印字ヘッド及びプラテンローラの駆動を制御する制御部と、を備え、前記判定手段により「巻き付き」と判定した場合、前記制御部によって前記プラテンローラと印字ヘッドによる印字を中止し、前記判定手段は、「巻き付き」でないと判定した場合、前記カッターの作動後における前記ラベル検出手段の検出結果に基づいて、次のラベル発行の可否を判定することを特徴とする。
【０００８】
前記ラベル検出手段としては、例えば、反射型光学センサを使用し、受光する反射光のレベルの変化により、ラベル受けにおける台紙レスラベル用紙（カッターによる切断後は台紙レスラベル）の有無が検出する。また、ラベル検出手段は前記ラベル受けに対して上方、或いは下方の何れの側に配置してもよい。尚、光学センサの種類、形態等は問わない。
【０００９】
また、前記判定手段により台紙レスラベル用紙の「巻き付き」と判定した場合、前記制御部によって前記プラテンローラを逆回転し、該プラテンローラに巻き付いたラベルを取り除き易い位置に位置させるように制御してもよい。
【発明の効果】
【００１１】
本発明の台紙レスラベルプリンタは、台紙レスラベル用紙の有無を検出する用紙検出手段段をプラテンローラより上流側に配置し、ラベルの有無を検出する光学センサからなるラベル検出手段をカッターより下流側近傍に配置し、用紙検出手段におけるラベル用紙の有無の検出結果と、カッターの作動前におけるラベル検出手段の検出結果とに基づいて、プラテンローラへのラベル用紙の巻き付きを判定することで、台紙レスラベル用紙が該ラベル検出手段に付着する虞れを解消することができる。そして、前記光学センサからなるラベル検出手段はカッターより下流側のラベル受け上方に配置されているため、カッターの作動後における前記ラベル検出手段の検出では、ラベル受けに送出される台紙レスラベルの取り除きの有無を検出することができる。よって、プラテンローラへのラベル用紙の巻き付きの有無検出と、ラベル受けに送出された台紙レスラベルの取り除きの有無検出の、二つの働きを１台の検出手段で行なうことができる。従って、装置を小型で安価に製作することができる。
【図面の簡単な説明】
【００１２】
【図１】本発明に係る台紙レスラベルプリンタの構成の概略を示す模式図。
【図２】同装置の電気的構成を示すブロック図。
【図３】台紙レスラベルの発行の流れを示すフローチャート図。
【図４】ラベル検出手段の検出内容と判定手段の判定結果の関係を示す説明図。
【発明を実施するための形態】
【００１３】
以下、本発明に係る台紙レスラベルプリンタの実施の形態の一例を図面に基づいて説明する。
図１は台紙レスラベルプリンタの構成の概略を示し、１は長尺帯状の台紙レスラベル用紙１ａがロール状に巻かれたラベルロールで、該ラベルロール１はロール装填部２に回転可能にセットされ、台紙レスラベル用紙１ａの引き出し方向下流側には印字ヘッド３ａとプラテンローラ３ｂとからなる印字部３が配置され、更にその印字部３より下流側近傍にはカッター４、そのカッター４より下流側近傍にはラベル受け５が順次配置されている。
また、前記ロール装填部２にセットされたラベルロール１から引き出されて前記印字部３の至る台紙レスラベル用紙１ａの移送経路には、台紙レスラベル用紙１ａが印字部３に供給されているか否かを検出する用紙検出センサ６が配置されている。
また、前記カッター４より下流側で、前記ラベル受け５の後端側（ラベル用紙の送出方向とは反対側）の略真上位置には、該ラベル受け５上に送出された台紙レスラベル用紙１ａ（又は台紙レスラベルＬ）の有無を検出するラベル検出手段７が配置されている。
【００１４】
前記ラベルロール１は、一方面（上面）が印字面、他方面（下面）が粘着剤が塗布された粘着面である長尺帯状の台紙レスラベル用紙が、前記印字面に剥離加工が施されてロール状に巻回されており、ロール装填部２に回転可能に支持される。そして、該ラベルロール１から引き出される台紙レスラベル用紙１ａは案内ローラ８を介して印字部３の印字ヘッド３ａとプラテンローラ３ｂとの間に供給され、前記プラテンローラ３ｂの駆動回転により該台紙レスラベル用紙１ａが引き出されるようになっている。
【００１５】
前記印字部３の印字ヘッド３ａはサーマルヘッドで構成され、該サーマルヘッド３ａの発熱体を選択的に発熱させて移送される前記台紙レスラベル用紙１ａの印字面に印字が施される。また、前記印字ヘッド３ａとで台紙レスラベル用紙１ａを挾着するプラテンローラ３ｂは、表面に離型剤がコーティングされており、台紙レスラベル用紙１ａの印字面とは反対側の粘着面に塗布されている粘着剤が付着しないようにしてあり、それによって台紙レスラベル用紙１ａの送出が円滑に行われるようになっている。尚、台紙レスラベル用紙１ａの粘着面に塗布された粘着剤がプラテンローラ３ｂに付着しにくくする構成は、前記構成に限らず、プラテンローラ３ｂ自体又は該プラテンローラ３ｂの最外層部分を易剥離性の部材で構成してもよい。そして、前記プラテンローラ３ｂはステッピングモータで駆動回転するように構成されている。
【００１６】
前記印字部３でラベル１枚分のデータが印字された台紙レスラベル用紙１ａを切断するカッター４は、剪断作用で台紙レスラベル用紙１ａを切断する上下一対の帯状の刃体で構成されている。具体的には、直線状に送出される台紙レスラベル用紙１ａの下側に配置される固定刃４ａと、台紙レスラベル用紙１ａの上側に配置され、前記固定刃４ａに向けて進退動する可動刃４ｂとで構成され、前記可動刃４ｂはモータ（ステッピングモータ）で駆動するように構成されている。
そして、前記カッター４は前記印字部３の下流側で、プラテンローラ３ｂに接近して配置されている。
【００１７】
前記印字部３で印字された台紙レスラベル用紙１ａは、前記カッター４の固定刃４ａと可動刃４ｂとの間を通って下流側に送出されるが、その送出される台紙レスラベル用紙１ａ部分を略水平状に支持するラベル受け５が前記カッター４の下流側近傍に配置されている。
そのラベル受け５は、外周面が剥離処理された回転筒５ａと、前記回転筒５ａより下流側（図面では左側）で送出される台紙レスラベル用紙１ａの幅方向両側部分を載承支持する平板状の支持板５ｂとで構成されており、前記支持板５ｂも台紙レスラベル用紙１ａの粘着面と接触する表面は易剥離性の処理、又は易剥離性の部材で形成されている。それにより、印字送出される台紙レスラベル用紙１ａは前記ラベル受け５によって略水平状に支持され、前記カッター４による切断動作が安定して行われるようになっている。また、前記カッター４で所定長さの枚葉状に切断された台紙レスラベルＬを、手貼りの場合はオペレータによって取り除かれるまで、機械による自動貼りの場合は吸着手段（アプリケータ）によって吸着されるまで、略水平状に待機保持する。
【００１８】
前記ラベル受け５上に、前記印字部３で所定事項が印字された台紙レスラベル用紙１ａが送出されたか否か、又、切断送出された台紙レスラベルＬが存在するか否か、を検出するラベル検出手段７が、前記ラベル受け５における前記カッター４よりの略真上位置に配置されている。
前記ラベル検出手段７は反射型光学センサで構成され、受光する反射光のレベルの変化（差）によってラベル受け５上における台紙レスラベル用紙１ａ又は台紙レスラベルＬの有無が検出される。
そして、前記ラベル検出手段７の検出タイミングは、前記台紙レスラベル用紙１ａを印字ヘッド３ａの位置から前記ラベル受け５へ向けて送出するプラテンローラ３ｂの駆動回転後に行われるように制御されている。
【００１９】
前記ラベル検出手段７による台紙レスラベル用紙１ａの有無検出が、前記プラテンローラ３ｂの駆動回転中で、前記カッター４の作動前である場合、印字ヘッド３ａとプラテンローラ３ｂとによって印字される台紙レスラベル用紙１ａが正常に送出されたかが判定され、また、台紙レスラベルＬの有無検出が前記プラテンローラ３ｂの駆動回転後で、前記カッター４の作動後である場合、前記ラベル受け５上に送出された台紙レスラベルＬが貼付のために取り除かれたかが判定される。尚、検出結果に基づく判定の詳細は、後段のラベル発行の流れにおいて説明する。
また、前記用紙検出センサ６も前記ラベル検出手段７と同様、反射型光学センサで構成されている。
【００２０】
図２は図１に示した台紙レスラベルプリンタの動作を制御する制御部の電気的構成を示すブロック図で、その構成は、ＣＰＵ９、フラッシュメモリ１０、ＲＡＭ１１、表示・操作部１２、インターフェース回路１３、プラテンローラ３ｂを回転させるステッピングモータ１４、サーマルヘッド（印字ヘッド３ａ）、カッター駆動用モータ１５、用紙検出センサ６、ラベル検出センサ７を備える。
【００２１】
前記ＣＰＵ９は、フラッシュメモリ１０に記憶されたプログラムを実行して本台紙レスラベルプリンタの動作を統括する中央演算処理装置である。
フラッシュメモリ１０は、本台紙レスラベルプリンタＡの制御プログラムや、制御用データ等を記憶する読み出し専用メモリである。
ＲＡＭ１１は、一時的にデータを呼び出して処理する為のワークエリアがあり、その中には、印字データをドットデータに展開するドット展開エリア、ラベルフォーマットファイルから１つのフォーマットデータを呼び出して記憶する呼出フォーマットエリア、商品データ等を呼び出して記憶する呼出商品エリア等がある。
【００２２】
また、このＲＡＭ１１には、ラベル印字のフォーマットが設定されたラベルフォーマットファイル、ラベル印字用の各種商品データが設定された商品ファイル等の他に、前記ラベル検出手段７の検出結果に基づく判定手段による判定内容を設定したファイル（図４参照）等が記憶されており、電源オフ時も前記ファイルを保持するようにバッテリーでバックアップされている。
前記ラベル検出手段７の検出結果に基づく判定ファイルは図４に示すように、ラベル検出手段７の検出データがカッター４の作動前における台紙レスラベル用紙１ａの有無検出であれば、台紙レスラベル用紙１ａのプラテンローラ３ｂへの巻き付きの有無が判定され、ラベル検出手段７の検出データがカッター４の作動後における台紙レスラベルＬの有無検出であれば、ラベル受け５に送出された台紙レスラベルＬの取り除きの有無が検出され、次のラベル発行の可否が判定される。具体的には、カッター４の作動前におけるラベル検出手段７の台紙レスラベル用紙１ａの有無検出が「○（有り）」であれば、印字された台紙レスラベル用紙１ａがラベル受け５上に正常に送出されていることを表し、「×（無し）」であれば印字された台紙レスラベル用紙１ａがラベル受け５上に送出されていない、即ち、プラテンローラ３ｂに巻き付いたと判定される。
【００２３】
表示・操作部１２は、本台紙レスラベルプリンタの操作を行うための入力装置であり、表示部と一体に構成されたタッチパネルになっており、各種のメニュー画面やデータを表示する液晶ディスプレイである。
プラテンローラ３ｂを駆動回転するステッピングモータ１４、サーマルヘッド（印字ヘッド３ａ）、カッター駆動用モータ１５は、ラベル発行部の印字部を構成し、ＣＰＵ９の指令に基づいて台紙レスラベル用紙１ａに品名、値段、単価、バーコード等の印字を行い、印字された台紙レスラベル用紙１ａをカッター４で枚葉状に切断して台紙レスラベルＬを発行する。
【００２４】
用紙検出センサ６は、印字部３に供給される台紙レスラベル用紙１ａの有無を検出し、その出力信号で印字ヘッド（サーマルヘッド）３ａ、及びプラテンローラ３ｂの駆動が制御される。
ラベル検出手段（センサ）７は、ラベル受け５上における台紙レスラベル用紙１ａ又は台紙レスラベルＬの有無を検出し、その検出結果に基づいて前記印字部３の動作（駆動／停止）が制御される。
【００２５】
次に、前記台紙レスラベルプリンタのラベル発行の流れを図３のフローチャートに基づいて説明する。尚、以下に示す流れは表示・操作部より必要な操作がされてラベル発行の指示がされたところからスタートする流れを示す。
（ＳＴ１）…表示・操作部からラベル発行の指示があるか否かが判断され、指示がある場
合（YES）はＳＴ２に進み、指示がない場合（NO）は前記判断を繰り返す。
（ＳＴ２）…ラベル受け５上に送出された台紙レスラベルＬが取り除かれているかが判断
され、取り除かれている場合（YES）はＳＴ３に進み、取り除かれていない
（ラベル受け上に台紙レスラベルＬが残っている）場合（NO）は、台紙レス
ラベルＬの取り除きが確認されるまで前記判断が繰り返し行われる。具体的
には、カッター４の作動後におけるラベル検出手段７の検出結果によって、
次のラベル発行の可否が判断される。
（ＳＴ３）…ラベル発行に必要な台紙レスラベル用紙１ａが印字部３に供給されているか
が判断され、台紙レスラベル用紙１ａが有る場合（YES）は（ＳＴ５）に進
み、台紙レスラベル用紙１ａが無い場合（NO）は（ＳＴ４）に進む。この判
断は、用紙検出センサ６の検出信号に基づいて判断される。
（ＳＴ４）…ステッピングモータとサーマルヘッドの動作を停止し、台紙レスラベル用紙
無しのエラー表示が表示・操作部に表示される。尚、ロール装填部２に新し
いラベルロール１をセットし、台紙レスラベル用紙１ａを引き出して印字部
３に供給されるようにし、前記用紙検出センサ６で該用紙の存在が検出され
ることで、前記エラー表示は消える。そして、終了する。
【００２６】
（ＳＴ５）…１ステップ分の印字と台紙レスラベル用紙１ａの移送が行われる。具体的に
は、台紙レスラベル用紙１ａの移送方向に１ドット分、印字データがあれば
印字し、次にステッピングモータ１４を１ステップ進めてプラテンローラ３
ｂを１ステップ正回転させる。
（ＳＴ６）…プラテンローラ３ｂが、台紙レスラベル用紙１ａをラベル検出手段７で検出
される位置まで回転されたかが判断され、ラベル検出手段７によるラベル用
紙の検出が可能な位置までプラテンローラが回転された場合（YES）は（Ｓ
Ｔ７）に進み、ラベル検出手段７によるラベル用紙の検出が可能な位置まで
プラテンローラが回転されていない場合（NO）は（ＳＴ３）に戻る。
（ＳＴ７）…ラベル検出手段７で台紙レスラベル用紙１ａを検出したかが判断され、台紙
レスラベル用紙１ａを検出した場合（YES）は（ＳＴ９）に進み、台紙レス
ラベル用紙１ａを検出しない場合（NO）は（ＳＴ８）に進む。
（ＳＴ８）…台紙レスラベル用紙１ａが検出されない結果、図４の判定内容に基づいて、
台紙レスラベル用紙１ａがプラテンローラ３ｂに巻き付いたと判定され、表
示・操作部に巻き付きエラーの表示がされ、且つ印字動作を中止してプラテ
ンローラ３ｂを逆回転し、プラテンローラに巻き付いた台紙レスラベル用紙
１ａの先端部を取り除き易い位置まで戻す。そして、終了する。
【００２７】
（ＳＴ９）…プラテンローラ３ｂが、台紙レスラベル用紙１ａを１ラベル分の送り量回転
したかが判断され、１ラベル分の回転が行われた場合（YES）は（ＳＴ１０
）に進み、１ラベル分の回転が行われていない場合（NO）は（ＳＴ３）に戻
る。
（ＳＴ１０）…カッター４が作動してラベル受け５上に送出された印字済みの台紙レスラ
ベル用紙１ａが切断され、台紙レスラベルＬが発行される。具体的には、
台紙レスラベル用紙１ａの先端から１ラベル分の後端側の位置がカッター
４の位置に位置するようにプラテンローラ（ステッピングモータ）の回転
で送出される。そして、カッター４による切断後、ラベルロール１側の台
紙レスラベル用紙１ａの先端が印字ヘッド３ａの印字位置と一致するよう
プラテンローラ３ｂを逆回転させて印字位置へ戻し、停止する。
（ＳＴ１１）…切断発行された台紙レスラベルＬがラベル受け５上から取り除かれたか検
出され、台紙レスラベルＬが取り除かれている場合（YES）は（ＳＴ１２
）に進み、ラベル受け５上に台紙レスラベルＬが残っている場合（NO）は
台紙レスラベルＬの取り除きが確認されるまで前記判断が繰り返し行われ
る。この検出は、ラベル検出手段７によって行なわれ、次のラベル発行の
可否が判断される（図４参照）。
（ＳＴ１２）…次のラベル発行の有無が判断され、次のラベル発行が有る場合（YES）は
（ＳＴ３）に戻り、次のラベル発行がない場合（NO）は、ラベル発行動作
を終了する。
【００２８】
上記ラベル発行の流れに示されるように、印字された台紙レスラベル用紙１ａはプラテンローラ３ｂ（ステッピングモータ１４）の回転でカッター４を通過してラベル受け５上に送出されるが、カッター４の作動前に前記プラテンローラ３ｂ（ステッピングモータ１４）が台紙レスラベル用紙１ａをラベル検出手段７による検出可能な位置に送り出すだけの回転をしているにも拘らず、ラベル検出手段７で前記台紙レスラベル用紙１ａが検出されない時は、前記台紙レスラベル用紙１ａがプラテンローラ３ｂに巻き付いたと判定し、印字部３の動作を停止してラベル用紙巻き付きのエラー表示を行い、且つ巻き付いたラベル用紙の取り除きを容易ならしめる為に前記プラテンローラ３ｂを所定量逆回転させる。
また、カッター４の作動前にラベル検出手段７でラベル受け５上の台紙レスラベル用紙１ａが検出され、更に前記プラテンローラの回転で前記台紙レスラベル用紙が１ラベル分送出され、カッター４が作動して台紙レスラベル用紙を切断した後、前記ラベル検出手段７がラベル受け５上の台紙レスラベルＬの有無（ラベル取り除きの有無）を検出し、台紙レスラベルＬが検出されなければ、次のラベルの発行が可能となり、台紙レスラベルＬが検出されれば、次のラベル発行が停止される。即ち、カッター作動後のラベル検出手段７の検出結果に基づいて、次のラベル発行の可否が判断され、印字部３の動作が制御される。また、前記ラベル検出手段７をカッター４に近接して配置した場合、印字された台紙レスラベル用紙１ａがラベル受け５に完全に送出されるのを待つことなく、送出の初期段階（カッターを通過後）で検出が可能となるため、プラテンローラへの巻き付きの有無を早く検出することができる。
【００２９】
本発明の台紙レスラベルプリンタは図示した実施の形態に限定されず、本発明の要旨を変更しない範囲で適宜変更可能である。
（１）実施の形態では、ラベルロールから台紙レスラベル用紙を引き出し送出する送出手段として印字部のプラテンローラによる構成を示したが、これに限定されず、プラテンローラとカッターとの間に上下一対のローラからなる送出用ローラを配置してもよい。
（２）実施の形態では、台紙レスラベル用紙を切断するカッターとして剪断作用により用紙を切断する上下一対の帯状刃体からなる構成を示したがこれに限らず、例えば、回転刃による切断機構でもよい。また、図示例では上側の刃体を可動刃としたが、下側の刃体を可動刃としてもよい。即ち、カッターを構成する刃体の形状、切断方式は問わない。
（３）実施の形態では、ラベル受けを回転筒と平板状の支持板で構成された例を示したが、これに限定されず、要は送出される台紙レスラベル用紙（又は切断された台紙レスラベル）を一時的に待機保持できる機能を備えたものであればよい。
（４）実施の形態では、ラベル検出手段として反射型光学センサで構成した例を示したがこれに限らず、センサの種類、形態は問わない。
（５）実施の形態では、ラベル受け上に送出される台紙レスラベル用紙又は台紙レスラベルを検出するラベル検出手段を該ラベル受けの上方に配置した例を示したがこれに限定されず、例えば、ラベル受けの下方に配置して該ラベル受けに保持される台紙レスラベル用紙又は台紙レスラベルの裏側（粘着面）を光学的に検出するようにしてもよい。この場合は、ラベル貼付を吸着部（アプリケータ）によって自動的に行う場合、前記ラベル検出手段が吸着部の邪魔にならず有効である。
（６）実施の形態では、台紙レスラベル用紙がプラテンローラに巻き付いたと判定した場合、表示・操作部にエラー表示して報知する例を示したがこれに限らず、例えば、音声によって報知するようにしてもよい。
【符号の説明】
【００３０】
１…ラベルロール                  １ａ…台紙レスラベル用紙
３…印字部                        ３ａ…印字ヘッド
３ｂ…プラテンローラ                  ４…カッター
５…ラベル受け                      ７…ラベル検出手段
９…ＣＰＵ（制御部）              １１…ＲＡＭ（判定手段）
Ｌ…台紙レスラベル
【図１】
0005990869.tif 000002
【図２】
0005990869.tif 000003
【図３】
0005990869.tif 000004
【図４】
0005990869.tif 000005